(57)【要約】      （修正有）【課題】容器底部、特に、二部品から成る飲料缶またはエアロゾル缶の底部を形成するための深絞りツールを創造する。【解決手段】深絞りツール２が、要求される缶内部形状に合わせられたピストンを有する第一のツール部分３を有し、ドーム部材１２とこれと同軸に配置されたリング形状の押さえ１４が属する第二のツール部分４を有し、前記押さえはドーム部材１２に対して可動に支承されており、かつ押さえ力によって付勢されており、リング形状に形成され、かつドーム部材１２の周りに配置されたリフター２３を有し、リフター２３に弾性力を及ぼしつつ支持するバネ手段２６を有する。【選択図】図２
2011152585.tif 000002
【特許請求の範囲】
【請求項１】
容器底部（１７）、特に、二部品から成る飲料缶またはエアロゾル缶の底部を形成するための深絞りツール（３）であって、
要求される缶内部形状に合わせられたピストンを有する第一のツール部分（３）を有し、
ドーム部材（１２）とこれと同軸に配置されたリング形状の押さえ（１４）が属する第二のツール部分（４）を有し、前記押さえはドーム部材（１２）に対して可動に支承されており、かつ押さえ力によって付勢されており、
リング形状に形成され、かつドーム部材（１２）の周りに同軸に配置されたリフター（２３）を有し、
リフター（２３）に弾性力を及ぼしつつ支持するバネ手段（２６）を有することを特徴とする前記深絞りツール。
【請求項２】
リフター（２３）は、リフター力によってピストン（３）に対して付勢されており、このリフター力が押さえ力よりも低いことを特徴とする請求項１に記載の深絞りツール。
【請求項３】
リフター（２３）は、バネ手段（２６）を介して押さえ（１４）に支持されていることを特徴とする請求項１に記載の深絞りツール。
【請求項４】
バネ手段（２６）が複数の圧力バネ（２７．２８）から形成されており、これら圧力バネがリフターの軸方向孔内に配置されていることを特徴とする請求項１に記載の深絞りツール。
【請求項５】
押さえ（１４）に、押さえ力発生のための空圧シリンダー（２０）が付設されていることを特徴とする請求項１に記載の深絞りツール。
【請求項６】
リフター（２３）がイジェクターストロークを有すること、押さえ（１４）が押さえストロークを有すること、およびイジェクターストロークが押さえストロークよりも大きいことを特徴とする請求項１に記載の深絞りツール。
【請求項７】
リフター（２３）が、上部リング状面（２４）を有すること、押さえ（１４）が上部形成面（１５）を有すること、および上部リング状面（２４）が、開いた深絞りツール（２）において形成面（１５）の上端部（２９）に立っていることを特徴とする請求項１に記載の深絞りツール。
【請求項８】
リング状面（２４）が、閉じた深絞りツール（２）において形成面の下側の縁（３２）に立っていることを特徴とする請求項７に記載の深絞りツール。
【請求項９】
押さえ（１４）とリフター（２３）が、互いに同軸であって、お互いに対して軸方向に位置調節可能なリングとして形成されていることを特徴とする請求項１に記載の深絞りツール。
【請求項１０】
リフター（２３）が押さえ（１４）とドーム部材（１２）の間に配置されていることを特徴とする請求項１に記載の深絞りツール。
【発明の詳細な説明】
【技術分野】
【０００１】
本発明は、容器底部、特に、二部品から成る飲料缶またはエアロゾル缶の底部を形成するための深絞りツールに関する。
【背景技術】
【０００２】
缶製造は、高い生産性が重要な大量生産である。例えば特許文献１および２が、缶製造、特に底部形成に取り組む。そこで飲料缶は、それぞれ複数ステップの形成プロセスで製造され、特に、カップ(Cup)と称されている容器形状の製造のためのステップを含んでいる。準備されたカップは、更なる形成プロセスでまず絞られ（abgestreckt）、そしてその底部を形成される。この形成過程は、薄壁上の、比較的デリケートな刃が鈍い（unbeschnitt）缶に施されるべき深絞り過程である。底部の形成付与過程の後に、半完成の缶は、深絞りツールから引き離され、そして更に運搬されなければならない。その際、深絞りツール内に留まったままになったり、コントロールされずに動くことは許されない。
【先行技術文献】
【特許文献】
【０００３】
【特許文献１】独国実用新案出願公開第８２０５９３３号明細書
【特許文献２】独国特許出願公開第６９８０２９４５号明細書
【発明の概要】
【発明が解決しようとする課題】
【０００４】
これに発し、本発明の課題は、缶、特に飲料缶のための底部ツールを創造することである。
【課題を解決するための手段】
【０００５】
この課題は、請求項１の記載に従う深絞りツールによって解決される。
【０００６】
本発明に係る深絞りツール（Ｔｉｅｆｚｉｅｈｗｅｒｋｚｅｕｇ）は、要求される缶内部形状に適合されたピストンを有している。さらにこの深絞りツールは、第二のツール部分中に、ドーム部材を有しており、このドーム部材は、底部外形上の中央の凹状の部分に対応する。ピストンとドーム部材は互いに相対的に可動に支承されており、その際好ましくは、上述の両要素の一方、好ましくはドーム部材が、位置固定に配置されている。ドーム部材には、押さえが付設されており、この押さえはこれ（ドーム部材）に対して同軸に配置され、かつドーム部材に関して可動に支承されている。その際、動作方向は、ピストンの動作方向と一致している。押さえは、好ましくは、底部に向いた形成面を有している。この、例えば略凹状の形成面は、好ましくは、要求される底部形状の外側のリング領域に合わされている。押さえは、好ましくは、例えば空圧シリンダーの形式のダイクッションの力に抗して可動に支承されている。深絞り過程においてこれは、底部をピストンに対して外側のリング領域に押圧支持し、そしてその際、決定的に中央の底部部分の造形を決定または制御する。
【０００７】
ピストンが半完成の缶に運び入れられた場合に、空気を缶から排出することができるように、ピストンは、好ましくは換気開口部を設けられている。
【０００８】
半完成の缶を深絞りツールから外し案内することを実現するため、および深絞りツール中に残ったままとなることを防止するために、下側のツール部分はリフターが設けられており、このリフターは缶形状形成過程の終了後に半完成の缶を、中央のドーム部材と押さえから引き離し、そして規定された位置へと案内する。リフターは、好ましくは、比較的弱いバネ手段によって動かされる。これが全体として実施する動作は、その際好ましくは、押さえのストロークより大きい。例えばリフターは、開かれた深絞りツールにおいて好ましくは上端部を押さえによって閉鎖（封鎖）する。閉じられた深絞りツールにおいては反対に、リフターは、好ましくは、押さえの形成面の下方の縁によって同一平面状で封鎖する。これによってリフターは、作動ストロークごとに、押さえストロークとリフターストロークの合計である道程を通り過ぎる。
【０００９】
好ましくは押さえとリフターは、それぞれリング形状またはキャップ状に形成されている。好ましくは、これらは互いに同軸かつ、中央に配置されたドーム部材と同軸に配置されている。押さえとイジェクターは、好ましくは軸方向で相対して可動に配置されている。リフターを操作するために設けられるバネ手段は、好ましくは押さえとリフターの間で体を支えている。好ましくは、バネ手段は、複数の圧力バネからなり、これら圧力バネは、これに加えて設けられるリフターのポケット内に配置され、そして軸方向であわせられている。
【００１０】
本発明の有利な詳細の更なる個々の点は、テーマ、図面、明細書の記載、請求項より明らかである。
【図面の簡単な説明】
【００１１】
【図１】缶と、缶の底部の形成のための装置の簡略図面
【図２】図１に記載される装置中で使用される、容器底部の変形の前に容器底部を形成するためのツール、簡略縦断面図
【図３】容器底部の変形中の図２に記載されるツールの図、簡略縦断面図
【図４】容器底部の変形過程が終了した後の図３に記載されるツールの図、簡略縦断面図
【図５】容器底部の変形過程が終了した後の図３に記載されるツールの図、簡略縦断面図
【発明を実施するための形態】
【００１２】
図１には、缶製造のために使用され、そしてそこで少なくとも缶底部の形成ステップを行い、場合によってはいわゆる絞り（Abstrecken）を行う装置１が表されている。底部形成のため装置１はツール２を備えており、このツールに上側ツール部分と下側ツール部分４が属している。上側ツール部分は、ピストン３として形成され、そしてプランジャー５に固定されている。このプランジャーは、矢印６にしたがい往復動作を実施する。下側ツール部分４は、反対に、少なくとも好ましくは、位置固定に設けられているので、ツール２はプランジャー５の周期的な動作に対応して持続的に閉じたり開いたりする。
【００１３】
ツール２は、図２から４中で異なる作業段階に分けて表わされている。ピストン３は、例えば基本的にシリンダー状の基本形状を有しており、その際その下方の端面は下側のツール部分４を向いている。ピストン３とツール部分４は、図１に現されているように、相並んでか、または代替としては重なりあってか、または他の装置では互いに合わされて配置されていることが可能である。ピストン３の端面７は、製造する容器底部の内部形状に対応している。中央の、外側からみて凹状の面８は、リング形状の稜部９によって取り囲まれている。この稜部には、リング形状かつ略すい形で、好ましくはわずかに凹状の外面１０が続いている。これが、ピストン３のシリンダー形状のカバー部１１へと続いている。
【００１４】
下側ツール部分４は、ピストン３とその形状、特に端部面７の形状に対応して、中央に一つの位置固定に配置されたドーム部材１２を有している。これは、その、端部面７に向いた側に面１３を有しており、この面の形状は基本的に面８の形状に対応している。ドーム部材１２は、下側ツール部分４内で使用され、好ましくは位置固定に支承される別の要素であり、この要素は、図２の原理図の中では更には表されていない。
【００１５】
ドーム部材１２の周りには、リング形状の押さえ１４が設けられている。これは、プランジャー３の方を向いた側に形成面１５を有しており、この形成面は、好ましくは略すい形状形成されかつその形状は外面１０に合わせられている。形成面１５は、容器１８の底部１７の外側の領域１６を変形過程の際に、ピストン３に対して向けられたある規定された押し込み力（挟み力）でもって付勢し、底部１７の中央の領域の変形を制御する。このため押さえ１４は下側ツール部分４内に可動に支承されている。動作方向は、ピストン３の動作方向も示している矢印１９と一致している。
【００１６】
押さえ１４を規定された力で付勢するために、ダイクッション２０が設けられている。このダイクッションは、例えば空圧シリンダーの形で形成されている。これは、好ましくは複数のプレスピン２１を介して押さえ１４の端部面によって、ピストン３に背を向けた位置に立っている。
【００１７】
押さえ１４とドーム部材１２の間には、好ましくはリングスリットが形成されており、その直径は、好ましくは少なくとも基本的に稜部９の直径と一致する。このリングスリット内には、キャップ形状のリフター２３が設けられており、このリフターは矢印１９の方向に可動である。
【００１８】
図５に示されるように、リフター２３は、上部のリング形状であって、好ましくは平らでかつまとまって形成された端部面２４を有している。休止状態では、つまり開かれた深絞りツール１においては、押さえ１４とリフター２３は、最も高くあり得る位置にある。その際リフター２３は、リングショルダー２５のもとで押さえ１４に接している。例えば第一の圧力バネ２７、第二の圧力バネ２８および場合によっては詳細には説明されていない圧力バネの形式のバネ手段２６が、リフター２３をこの位置に保持している。この位置は、図５に別に表わされている。その際、リフターの上部の端部面２４は、およそ、形成面１５の上側端部２９の高さにあるか、わずかにこれより上側にある。
【００１９】
圧力バネ２７，２８は、一方の端部においてリフター２３と接して体を支えており、それぞれ他方の端部でもって押さえ１４またはこれにねじ固定されたリング３０に接して体を支えている。図２の左側には、リフター２３内の下方にもたらされた、第一の圧力バネ２７を収容するための対応する空所が切り出されている。第二の圧力バネ２８のための対応する空所はカバーされて表わされている。
【００２０】
上述した装置１およびツール２は以下のように動作する。
【００２１】
まずカップ形状の、容器１８の中間ブリケット（Zwischenformling）がツール２内に入れられ、そしてピストン３がその内部室内に導入される。図２では、この状態が表わされている。容器の、基本的に未だ平らな底部１７がリフター２３及び／又は押さえ１４上に置かれている。ピストン３が、下側ツール部分４の方、つまり図２では下方へ向かって移動する。その際、まず、リフター２３が押し下げられ、そして圧力バネ２７、２８が張りつめた状態となる。その際、圧力バネ２７，２８によって持たされる力が、基本的にダイクッション２０の力よりも小さい。
【００２２】
その後、まず、底部１７の外側の領域が形成面１５に載せられ、これによって外側の領域１６がピストン３と押さえ１４の間に挟まれる。ピストン３の更なる下方への動作の際に、底部１７の中央の部分がドーム部材１２の面１３を介して引っ張られる。その際、リフター２３が、押さえ１４に関して、その最も低い可能な位置へ達し、この位置において端部面２４が、図５において破線３１によって記された、形成面１５の下側の端部３２に達するか、またはこれを下回る。引張り過程は、底部１７が面８と１３の間に形成されるまでピストン３がさらに下方に動くことにより続行される。これによってリフター２３は、形成面１５の端部２９，３２の間の間隔の合計と、押さえ１４のストロークから生じるストロークを通過する。
【００２３】
引き続いてピストン３は下側のツール部分４から引き離され、したがって容器１８から外れて動かされる。その際、押さえ２３は、容器１８の底部１７を面１３から引き離す。容器１８が押さえ１４またはその形勢面１５に残ったままとなることは、基本的にリフター２３によって回避される。バネ手段２６は、容器１８を、その底部側に形成された稜部に更に上に向かって押さえる。ツール１が完全に開いた後、容器１８は完全に型取られた底部１７とともにリフター２３の上側の端部面２４上にあり、そして部品移送装置によって更なる処理または加工のために引き続き送られることができる。
【００２４】
容器底部、特に飲料缶の底部の形成付与のための公知のツール内では、キャップ形状に形成され、かつ押さえ１４とドーム部材１２の間に配置されるリフター２３が導入される。リフター２３は、バネ手段２６によってピストン３の作業方向に抗してある力でもって予負荷される。この力は、押さえに及ぼされる力より基本的に小さい。バネ手段２６は、圧力バネ２７，２８によって形成されることが可能であり、これら圧力バネは、リフター２３の端部側の軸方向空所内に設けられていることが可能である。当該リフター力は、圧力バネまたはその数を変化することにより、変更可能である。
【符号の説明】
【００２５】
１  装置
２  ツール
３  上側のツール部分
４  下側のツール部分
５  プランジャー
６  矢印
７  端部面
８  面
９  稜部
１０  外面
１１  カバー面
１２  ドーム部材
１３  面
１４  押さえ
１５  形成面
１６  容器１８の底部１７の外側の領域
１７  底部
１８  容器
１９  矢印
２０  ダイクッション
２１  プレスピン
２２  プレスピン
２３  リフター
２４  端部面
２５  リングショルダー
２６  バネ手段
２７  第一の圧力バネ
２８  第二の圧力バネ
２９  端部
３０  リング
３１  線
３２  端部
【図１】
2011152585.tif 000003
【図２】
2011152585.tif 000004
【図３】
2011152585.tif 000005
【図４】
2011152585.tif 000006
【図５】
2011152585.tif 000007